(57)【要約】 【課題】  高い耐電圧を有するカバー装置を提供する。【解決手段】  カバー本体１０は、ヒンジ部１８で開閉可能に構成され、周方向両端部に、複数の突条２１ａ，２１ｂが互いに嵌まり込む閉塞体１７ａ，１７ｂがそれぞれ設けられる。このカバー本体１０を電線防護管３の突合せ部４に装着する。そしてカバー本体１０に、ヒンジ部１８を覆うように外套体１１を装着し、カバー本体１０を閉じた状態に保持する。このようにカバー本体１０と外套体１１との２層構造で、カバー本体１０の周方向両端部に各突条２１ａ，２１ｂを設けられて、内表面から外表面までの沿面距離を大きく構成される。これによって高い耐電圧を得ることができる。【選択図】      図１
2006296076.tif 000002
【特許請求の範囲】
【請求項１】
絶縁保護対象物に装着されるカバー装置であって、
電気絶縁性材料から成るカバー本体を備え、
カバー本体は、
周方向に分断される筒状のカバー基体と、
カバー基体の周方向両端部にそれぞれ設けられ、互いに対向する面が凹凸状に形成され、互いに嵌合してカバー基体の周方向両端部間を塞ぐ２つの閉塞体とを有することを特徴とするカバー装置。
【請求項２】
電気絶縁性材料から成り、カバー本体に装着される外套体を備えることを特徴とする請求項１記載のカバー装置。
【請求項３】
カバー基体は、周方向両端部間の中間部に、ヒンジ部を有し、
外套体は、弾性変形可能であり、ヒンジ部を覆う状態でカバー本体に装着され、カバー本体を周方向両端部が近づくように弾発的に挟持することを特徴とする請求項１または２記載のカバー装置。
【請求項４】
カバー本体と外套体とは、互いに異なる色を有することを特徴とする請求項１〜３のいずれか１つに記載のカバー装置。
【発明の詳細な説明】
【技術分野】
【０００１】
本発明は、絶縁保護対象物に装着されるカバー装置に関する。
【背景技術】
【０００２】
電線近傍で、工事などの作業をするにあたって、工具などが電線に接触することによる感電事故を防ぐために、複数の電線防護管が軸線方向へ並べられて、電線に装着される。隣接する２つの電線防護管が突合される突合せ部には、カバー装置が装着され、前記２つの電線防護管を連結するとともに、突合せ部における工具などの電線への接写が防がれる。
【０００３】
カバー装置は、電気絶縁性材料から成る筒状の装置であり、周方向１カ所で、分断されて不連続に形成されている。このカバー装置は、周方向両端部を開いて、前記突合せ部を覆うように配置され、周方向両端部を閉じて装着される。
【０００４】
また他の従来の技術として、電線の局部的な被覆の修理などに用いられる電線絶縁カバーが示されている。この電線絶縁カバーは、２つのカバー片がヒンジによって角変位可能に連結され、閉じた状態で筒状となるように構成されている（たとえば、特許文献１参照）。
【０００５】
【特許文献１】特開平７−２７４３７４号公報
【発明の開示】
【発明が解決しようとする課題】
【０００６】
このようなカバー装置は、単に電線への接触を防止すればよいのでなく、感電事故を防止することが最終目的であり、沿面放電なども考慮して、カバー装置に工具などが接触した場合に、電線と工具との間で短絡が生じないように耐電圧を有する必要がある。特に、高圧送電線などを呼ばれる接地電位との間に高い電位差を有する電線などに装着する場合には、さらに高い耐電圧、たとえば３万Ｖ以上の耐電圧が必要であり、このような高い耐電圧を有するカバー装置が望まれている。
本発明の目的は、高い耐電圧を有するカバー装置を提供することである。
【課題を解決するための手段】
【０００７】
本発明は、絶縁保護対象物に装着されるカバー装置であって、
電気絶縁性材料から成るカバー本体を備え、
カバー本体は、
周方向に分断される筒状のカバー基体と、
カバー基体の周方向両端部にそれぞれ設けられ、互いに対向する面が凹凸状に形成され、互いに嵌合してカバー基体の周方向両端部間を塞ぐ２つの閉塞体とを有することを特徴とするカバー装置である。
【０００８】
本発明に従えば、カバー本体は、筒状であって周方向に分断されるカバー基体と、カバー基体の周方向両端部にそれぞれ設けられる２つの閉塞体とを有する構成であり、カバー本体も、周方向に分断されている。このカバー本体は、カバー基体によって絶縁保護対象物を覆うように、絶縁対象物に装着されて、絶縁保護対象物に対する物品の接触を防ぐことができる。各閉塞体の互いに対向する面は、凹凸状に形成されている。各閉塞体は、互いに嵌合してカバー基体の周方向両端部間を塞ぐことができる。これによってカバー基体の周方向両端部間を介して、物品がカバー基体に挿入されてしまうことを防ぐことができる。また各閉塞体の互いに対向する面が凹凸状に形成されており、カバー基体の内表面から、各閉塞体の互いに対向する面を経て、各閉塞体の外方に露出する面に到達するまでの沿面距離を大きくすることができる。これによって各閉塞体のカバー基体からの突出量を小さく抑えたうえで、カバー本体の周方向に縁が切れる部分における耐電圧を高くすることができる。したがって小形かつ高い耐電圧のカバー装置を実現することができる。
【０００９】
また本発明は、電気絶縁性材料から成り、カバー本体に装着される外套体を備えることを特徴とする。
【００１０】
本発明に従えば、カバー本体に装着される外套体が設けられる。この外套体によってカバー本体を覆うことによって、カバー本体だけが設けられる場合に比べて耐電圧を高くすることができる。
【００１１】
また本発明は、カバー基体は、周方向両端部間の中間部に、ヒンジ部を有し、
外套体は、弾性変形可能であり、ヒンジ部を覆う状態でカバー本体に装着され、カバー本体を周方向両端部が近づくように弾発的に挟持することを特徴とする。
【００１２】
本発明に従えば、カバー基体が、周方向両端部間の中間部に、ヒンジ部を有している。これによってカバー基体のヒンジ部によって連結される両側の部分を、容易に角変位させることができる。これによってカバー本体を、容易に開閉することができる。したがってカバー本体の絶縁対象物への装着作業を容易にすることができる。さらにカバー本体を、開いた状態で成形し、閉じた状態で絶縁対象物に装着することが可能である。カバー本体を開いた状態で成形することができると、各閉塞体における型抜きが容易になり、カバー本体を容易に製造することができる。そして外套体が、ヒンジ部を覆う状態でカバー本体に装着され、カバー本体を周方向両端部が近づくように、外套体によって弾発的に挟持される。ヒンジ部は、耐電圧が低くなってしまうが、外套体によってヒンジ部を覆うことによって、高い耐電圧を確保することができる。また外套体によってカバー本体を弾発的に挟持することによって、カバー本体を閉じた状態に保持し、カバー本体が不所望に開いてしまうことを防ぐことができる。
【００１３】
また本発明は、カバー本体と外套体とは、互いに異なる色を有することを特徴とする。
本発明に従えば、カバー装置を長期にわたって用いる場合に、たとえば樹木などが繰返し接触するなどして、カバー装置が摩耗する場合に、摩耗の度合を、カバー装置の外観色から容易に判断することができる。
【発明の効果】
【００１４】
本発明によれば、カバー基体の内表面から、各閉塞体の互いに対向する面を経て、各閉塞体の外方に露出する面に到達するまでの沿面距離を大きくすることができるので、小形かつ高い耐電圧のカバー装置を実現することができる。
【００１５】
また本発明によれば、外套体によってカバー本体を覆い、耐電圧を高くすることができる。
【００１６】
また本発明によれば、カバー本体を、ヒンジ部で容易に開閉することができ、カバー本体の絶縁対象物への装着作業を容易にすることができる。さらにカバー本体を、開いた状態で成形することが可能であり、各閉塞体における型抜きが容易になり、カバー本体を容易に製造することができる。さらに外套体によってヒンジ部を覆うことによって、高い耐電圧を確保することができる。また外套体によってカバー本体を弾発的に挟持することによって、カバー本体を閉じた状態に保持し、カバー本体が不所望に開いてしまうことを防ぐことができる。
【００１７】
また本発明によれば、カバー装置の摩耗の度合を、カバー装置の外観色から容易に判断することができる。
【発明を実施するための最良の形態】
【００１８】
図１は、本発明の実施の一形態のカバー装置１を分解し、簡略化して示す斜視図である。図２は、カバー装置１の装着状態を示す斜視図である。カバー装置１は、絶縁保護対象物に装着される装置である。カバー装置１は、感電事故および短絡事故などの事故を未然に防ぐために、絶縁保護物に装着して用いられる。絶縁保護対象物は、たとえば電力を供給するための設備であり、具体的には、電線２および電線２を支持する碍子などである。本実施の形態では、絶縁保護対象物は、電線２に装着される２つの電線防護管３の突合せ部４である。
【００１９】
電線２には、複数の電線防護管３が、軸線方向へ並べられて装着される。隣接する２つの電線防護管３が軸線方向へ互いに突合されて構成される突合せ部４に、カバー装置１が装着される。カバー装置１は、特に、接地電位に対して高い電位差を有する高圧送電線などとも呼ばれる電線２に装着される電線防護管３の突合せ部４に、好適に装着される。
【００２０】
カバー装置１は、電気絶縁性材料から成るカバー本体１０と、電気絶縁性材料から成る外套体１１とを備える。カバー装置１は、カバー本体１０が突合せ部４を覆うように設けられ、外套体１１がカバー本体１０を覆うように設けられ、突合せ部４に装着される。前記電気絶縁性材料は、たとえばポリエチレンおよびポリプロピレンなどの合成樹脂であってもよく、カバー本体１０と外套体１１とは、同一の材料であってもよいし、異なる材料であってもよい。
【００２１】
図３は、電線防護管３の一端部に装着した状態で、電線防護管３側からカバー装置１を見て示す正面図である。図４は、電線防護管３の一端部に装着した状態で、電線防護管３とは反対側からカバー装置１を見て示す背面図である。図５は、図３の右側から見て示す側面図である。図６は、図５の上側から見て示す平面図である。図７は、図５の下側から見て示す平面図である。カバー本体１０は、筒状であり、電線防護管３を周方向全周にわたって外囲するように、電線防護管３に装着される。したがってカバー装置１は、各電線防護管３を周方向全周にわたって外囲する状態で、突合せ部４に装着される。
【００２２】
電線防護管３には、軸線方向両端部に、半径方向外方へ突出する係合凸部７がそれぞれ形成されている。また電線防護管３は、略円筒状でありかつ周方向１カ所で分断される管基体５と、管基体５の周方向両端部から半径方向外方へそれぞれ突出する２つの脚体６と、各脚体６の付け根部（基端部）を外側から覆う壁体８とを有しており、軸線方向に垂直な断面の形状が、非円形状である。軸線方向両端部の各係合凸部７は、同様の構成であり、電線防護管３は、軸線方向中央に配置される軸線方向に垂直な仮想平面に関して面対称である。
【００２３】
カバー本体１０は、係合凸部７を利用して、電線防護管３に対して、軸線方向に関して位置決めされ、かつ軸線方向の変位が阻止される。カバー本体１０は、電線防護管３の各脚体６および各壁体８を利用して、電線防護管３に対して、周方向に関して位置決めされ、かつ周方向の変位が阻止される。このようにカバー本体１０は、電線防護管３に対して、軸線方向および周方向に関して位置決めされ、変位が阻止された状態で装着される。
【００２４】
これによってカバー装置１は、突合せ部４に装着することによって、突合される２つの電線防護管３を連結することができる。したがってカバー装置１は、いわゆる継手でもある。カバー装置１は、図１に示すように、２つの電線防護管３を先に突合せた状態で、その突合せ部４に装着することが可能であるし、また図３〜図８のように１つの電線防護管３の一端部に装着された状態で、もう１つの電線防護管３を、カバー装置１に対して、相対的に軸線方向へ変位させて挿入し、各電線防護管３をカバー装置１内で突合せ、突合せ部４にカバー装置１が装着される状態とすることも可能である。
【００２５】
さらに、他の実施の形態として、１つの電線防護管３に先に装着しておいて、後からもう１つの電線防護管３を挿入させるようにして用いる場合の構成として、電線防護管３の一端部にカバー本体１０を一体に形成しておく構成でもよい。この構成では、電線防護管３の一端部には、係合凸部７を設ける必要がなく、またカバー本体１０に、一体に形成される電線防護管３に対する位置決め、および変位阻止のための手段は不要である。
【００２６】
図８は、カバー本体１０を閉じた状態で示す正面図である。図９は、カバー本体１０を開いた状態で示す正面図である。図１０は、図９の左側から見て示す正面図である。図１１は、図９の下側から見て示す底面図である。図１２は、図９の上側から見て示す平面図である。図１３は、カバー本体１０を開いた状態で内側から見て示す斜視図である。図１４は、カバー本体１０を開いた状態で外側から見て示す斜視図である。図３〜図７を併せて参照して、カバー本体１０は、筒状であり、軸線方向全長にわたって、周方向１カ所で分断されている。したがってカバー本体１０は、周方向１カ所で縁が切れていて、周方向に不連続な筒状である。カバー本体１０は、筒状であって、軸線方向全長にわたって周方向１カ所で分断されているカバー基体１５と、カバー基体１５の周方向両端部１６ａ，１６ｂにそれぞれ設けられる２つの閉塞体１７ａ，１７ｂとを有する。
【００２７】
カバー基体１５は、周方向の中間部に、具体的には、周方向の中央部に、ヒンジ部１８を有し、ヒンジ部１８の周方向両側に配置される２つの基体部分２０ａ，２０ｂが、ヒンジ部１８によって、相対的に角変位可能に連結されて構成される。ヒンジ部１８は、残余部分、つまり各基体部分２０ａ，２０ｂよりも薄肉に形成される薄肉ヒンジであり、ヒンジ部１８および各基体部分２０ａ，２０ｂは、一体である。
【００２８】
カバー基体１５は、各基体部分２０ａ，２０ｂが相対的に角変位することによって、開閉可能である。カバー基体１５は、閉じた状態で、周方向両端部１６ａ，１６ｂが、当接する構成でもよいが、本実施の形態では、間隔をあける構成であり、軸線に垂直な断面の形状は、略馬蹄形状である。またカバー基体１５は、少なくとも、周方向両端部１６ａ，１６ｂとヒンジ部１８とが、ほぼ１つの仮想平面に沿って配置される程度まで、開くことができる。このようなカバー基体１５の開閉によって、カバー本体１０が開閉可能である。
【００２９】
各閉塞体１７ａ，１７ｂは、カバー基体１５の周方向両端部１６ａ，１６ｂから、周方向両端部における外周面の接線方向にほぼ沿って突出するように設けられる。カバー基体１５が閉じた状態で、各閉塞体１７ａ，１７ｂの対向する面は、凹凸状に形成され、互いに嵌合する。各閉塞体１７ａ，１７ｂは、互いに嵌合することによって、カバー基体１５の周方向両端部１６ａ，１６ｂ間を、具体的には、周方向両端部１６ａ，１６ｂの間のすき間を塞ぐことができる。
【００３０】
さらに具体的には、各閉塞体１７ａ，１７ｂは、カバー基体１５が閉じた状態で、周方向両端部１６ａ，１６ｂから、周方向両端部における外周面の接線方向にほぼ沿って延出する延出壁２４ａ，２４ｂと、各延出壁２４ａ，２４ｂの互いに対向する表面部から互いに近接するようにそれぞれ突出する複数、本実施の形態では５つの突条２１ａ，２１ｂとを有している。各延出壁２４ａ，２４ｂは、先端部に向かうにつれて互いに近づくように延出している。各突条２１ａ，２１ｂは、各延出壁２４ａ，２４ｂの延出方向に互いに間隔をあけ、軸線方向に沿って延びる。
【００３１】
各閉塞体１７ａ，１７ｂは、カバー基体１５が閉じた状態で、一方の閉塞体１７ａの各突条２１ａ間に、他方の閉塞体１７ｂの各突条２１ｂが嵌まり込み、他方の閉塞体１７ｂの各突条２１ｂ間に、一方の閉塞体１７ａの各突条２１ａが嵌まり込む。このようにして各閉塞体７ａ，１７ｂが互いに嵌合する。
【００３２】
各突条２１ａ，２１ｂは、平板状の本体部２２ａ，２２ｂの厚み方向両側に複数のリブ２３ａ，２３ｂがそれぞれ形成されて構成される。各リブ２３ａ，２３ｂは、本体部２２ａ，２２ｂからの突出高さが、本体部２２の先端部に向かうにつれて小さくなるように形成されている。したがって各突条２１ａ，２１ｂは、先細状に形成されており、互いに嵌合しやすい構成となっている。
【００３３】
またカバー基体１５の各基体部分２０ａ，２０ｂには、軸線方向の中間部におけるヒンジ１８寄りの位置に、軸線方向に間隔をあけて、周方向に延びる２つの係合凹部２７ａ，２７ｂ；２８ａ，２８ｂがそれぞれ形成されている。カバー本体１０の軸線方向一端部３０寄りに配置される各係合凹部２７ａ，２７ｂには、カバー本体１０の軸線方向一端部３０側から挿入される電線防護管３の係合凸部７が嵌まり込む。カバー本体１０の軸線方向他端部３１寄りに配置される各係合凹部２８ａ，２８ｂには、カバー本体１０の軸線方向一端部３１側から挿入される電線防護管３の係合凸部７が嵌まり込む。各係合凹部２７ａ，２７ｂ；２８ａ，２８ｂに、電線防護管３の係合凸部７が嵌まり込むことによって、電線防護管３とカバー本体１０とが係合されて、軸線方向に関して位置決めされ、変位が阻止される。
【００３４】
またカバー本体１０の軸線方向両端部３０，３１のうち、少なくともいずれか一方、本実施の形態では、軸線方向他端部３１には、軸線方向外方になるにつれて、拡開するテーパ状の案内部３２が形成される。この案内部３２は、カバー基体１５に形成される。この案内部３２を形成することによって、軸線方向一端部３０側の部分で先に、１つの電線防護管３に装着しておき、もう１つの電線防護管３を後から軸線方向へ相対的に変位させて挿入するときに、挿入しやすくすることができる。
【００３５】
このようにカバー本体１０は、軸線方向に非一様な形状であり、各突条２１ａ，２１ｂなどを有する複雑な形状であり、開いた状態で射出成形される。このように開いた状態であれば、型抜きが容易であり、容易に製造することができる。さらにヒンジ部１８を有する構成とすることによって、開いた状態で成形しても、閉じて筒状とすることが可能である。
【００３６】
図３〜図８を参照して、外套体１１は、筒状であり、軸線方向全長にわたって、周方向１カ所で分断されている。したがって外套体１１は、周方向１カ所で縁が切れていて、周方向に不連続な筒状である。外套体１１は、周方向両端部４０ａ，４０ｂが当接する構成であってもよいが、本実施の形態では、離間する構成であり、軸線に垂直な断面の形状が馬蹄形状である。
【００３７】
外套体１１は、ヒンジ部１８を外側から覆うように、カバー本体１０に装着される。これによって薄肉に形成されて耐電圧が低いヒンジ部１８が露出してしまうことを防ぎ、カバー装置１の耐電圧を高くすることができる。
【００３８】
この外套体１１は、周方向両端部４０ａ，４０ｂがカバー基体１５の周方向両端部１６ａ，１６ｂに当接するように装着されている。外套体１１の軸線方向両端部は、先細となるようにテーパ状に形成されており、軸線方向両端部では、周方向全周にわってカバー本体１０に当接し、またはカバー本体１０との間にほとんどすき間を有していない。このように、軸線方向両端部および周方向両端部４０ａ，４０ｂを含む縁辺部では、カバー本体１０に当接または近接し、残余の部分は、カバー本体１０から間隔をあけて配置され、カバー本体１０と外套体１１との間に空間が形成される。これによって、空間が形成されて耐電圧を高くすることができるとともに、周縁部をカバー本体１０に当接または近接させて、空間への物品などの侵入を防止することができる。
【００３９】
また外套体１１は、弾性変形可能であり、周方向両端部４０ａ，４０ｂを近づけまたは遠ざけるように、弾発的に開閉することができる。この外套体１１は、前述のように軸線に垂直な断面の形状が馬蹄形状であり、弾性変形させて開くことによってカバー本体１０に装着することができる。このようにカバー本体１０に装着することによって、外套体１１は、弾性回復力でカバー本体１０を閉じるように、具体的には、カバー本体１０の周方向両端部が近づくように挟持する。これによって前述のように開いた状態で形成されるカバー本体１０を、閉じた状態で保持することができる。
【００４０】
各閉塞体１７ａ，１７ｂは、カバー基体１５の周方向両端部１６ａ，１６ｂよりも半径方向外方へ突出する状態で設けられ、カバー基体１５の周方向両端部１６ａ，１６ｂと、各閉塞体１７ａ，１７ｂとの間には、段差部２５ａ，２５ｂがそれぞれ形成されている。またカバー基体１５は、周方向両端部１６ａ，１６ｂ付近において、周方向両端部１６ａ，１６ｂに向かうにつれて互いに近づくように形成されており、外套体１１は、ヒンジ部１８から遠ざかる方向へ、外れにくい構成である。しかもヒンジ部１８から遠ざかる方向へ案内されたとしても、各段差部２５ａ，２５ｂの当接する位置で、それ以上の変位が阻止される。したがって外套体１１は、好適な位置に装着される。また外套体１１が装着された状態で、外套体１１の外表面と、各閉塞体１７ａ，１７ｂの外表面とを、面一、またはほぼ面一として、出張りを小さくすることができる。したがって物品などが引掛って、外套体１１が不所望に外れてしまうことが防がれる。
【００４１】
またカバー本体１０と外套体１１とは、たとえば「黒」と「黄」となど、異なる色を有している。これによって、外套体１１が摩耗してカバー本体１０の外套体１１で覆われているべき部分が露出すると、色の違いから、その部分が露出していることを容易に目視確認することができる。
【００４２】
このようなカバー装置１によれば、カバー本体１０が各閉塞体１７ａ，１７ｂを有しており、カバー基体１５の周方向両端部１６ａ，１６ｂ間を介して、物品がカバー基体１５に挿入されてしまうことを防ぐことができる。また各閉塞体１７ａ，１７ｂの互いに対向する面が凹凸状に形成されており、カバー基体１５の内表面から、各閉塞体１７ａ，１７ｂの互いに対向する面を経て、外方に露出する面に到達するまでの沿面距離を大きくすることができる。これによって各閉塞体１７ａ，１７ｂの寸法を小さく抑えたうえで、カバー本体１０の周方向に縁が切れる部分における耐電圧を高くすることができる。したがって小形かつ高い耐電圧のカバー装置１０を実現することができる。
【００４３】
さらにカバー基体１５が、ヒンジ部１８を有しており、ヒンジ部１８によって連結される両側の基体部分２０ａ，２０ｂを、容易に角変位させることができる。これによってカバー本体１０を、容易に開閉することができる。したがってカバー本体１０の突合せ部４への装着作業を容易にすることができる。さらにカバー本体１０を、開いた状態で成形し、閉じた状態で突合せ部４に装着することが可能である。カバー本体１０を開いた状態で成形することができると、各閉塞体など複雑な形状を有するカバー本体１０を、射出成形することが可能であり、かつ型抜きなどが容易になり、カバー本体１０を容易に成形することができる。そして外套体１１が、ヒンジ部１８を覆う状態でカバー本体１０に装着され、カバー本体１０を周方向両端部が近づくように、外套体１１によって弾発的に挟持される。ヒンジ部１８は、耐電圧が低くなってしまうが、外套体１１によってヒンジ部１８を覆うことによって、高い耐電圧を確保することができる。また外套体１１によってカバー本体１０を弾発的に挟持することによって、カバー本体１０を閉じた状態に保持し、カバー本体１０が不所望に開いてしまうことを防ぐことができる。このようにカバー本体１０だけが設けられる場合に比べて、耐電圧を高くすることができる。
前述の実施の形態は、本発明の例示に過ぎず、構成を変更することができる。
【図面の簡単な説明】
【００４４】
【図１】本発明の実施の一形態のカバー装置１を分解し、簡略化して示す斜視図である。
【図２】カバー装置１の装着状態を示す斜視図である。
【図３】電線防護管３の一端部に装着した状態で、電線防護管３側からカバー装置１を見て示す正面図である。
【図４】電線防護管３の一端部に装着した状態で、電線防護管３とは反対側からカバー装置１を見て示す背面図である。
【図５】図３の右側から見て示す側面図である。
【図６】図５の上側から見て示す平面図である。
【図７】図５の下側から見て示す平面図である。
【図８】カバー本体１０を閉じた状態で示す正面図である。
【図９】カバー本体１０を開いた状態で示す正面図である。
【図１０】図９の左側から見て示す正面図である。
【図１１】図９の下側から見て示す底面図である。
【図１２】図９の上側から見て示す平面図である。
【図１３】カバー本体１０を開いた状態で内側から見て示す斜視図である。
【図１４】カバー本体１０を開いた状態で外側から見て示す斜視図である。
【符号の説明】
【００４５】
１  カバー装置
２  電線
３  電線防護管
４  突合せ部
１０  カバー本体
１１  外套体
１５  カバー基体
１７ａ，１７ｂ  閉塞体
１８  ヒンジ部
２１ａ，２１ｂ  突条
【図１】
2006296076.tif 000003
【図２】
2006296076.tif 000004
【図３】
2006296076.tif 000005
【図４】
2006296076.tif 000006
【図５】
2006296076.tif 000007
【図６】
2006296076.tif 000008
【図７】
2006296076.tif 000009
【図８】
2006296076.tif 000010
【図９】
2006296076.tif 000011
【図１０】
2006296076.tif 000012
【図１１】
2006296076.tif 000013
【図１２】
2006296076.tif 000014
【図１３】
2006296076.tif 000015
【図１４】
2006296076.tif 000016